(57)【要約】【課題】従来のＤＣカプラーは、電力供給時におけるケーブルの断線を防止するケーブル断線防止部材を備えていないため、電力供給時にケーブル引き出し位置で発生するケーブルの屈曲による芯線の断線を防止でなかった。【解決手段】ケーブルが一体的に設けられたＤＣカプラーであって、小型電子機器への装着方向と直交し、かつ、互いに離反する二方向へ前記ケーブルを案内可能な案内溝を有し、前記ケーブルは前記ＤＣカプラーから独立したケーブル断線防止部材を備えていることを特徴とする。【選択図】図１
2016081578.tif 000002
【特許請求の範囲】
【請求項１】
ケーブルが一体的に設けられたＤＣカプラーであって、小型電子機器への装着方向と直交し、かつ、互いに離反する二方向へ前記ケーブルを案内可能な案内溝を有し、前記ケーブルは前記ＤＣカプラーから独立したケーブル断線防止部材を備えていることを特徴とするＤＣカプラー。
【請求項２】
前記案内溝は、前記ケーブルを少なくとも二段階で折り曲げ、前記小型電子機器への装着方向と直交し、かつ、互いに離反する二方向へ案内する案内壁を有することを特徴とする請求項１に記載のＤＣカプラー。
【請求項３】
前記ケーブル断線防止部材は、前記ケーブルに一体的に固定されていることを特徴とする請求項２に記載のＤＣカプラー。
【請求項４】
前記ケーブル断線防止部材は、前記ケーブルに沿って移動可能であり、小型電子機器側ＤＣカプラー用ケーブル通し部に設けた凸形状、又は凹形状のケーブル固定部材に対応した形状を有するケーブル固定部を有していることを特徴とする請求項２に記載のＤＣカプラー。
【請求項５】
ケーブルが一体的に設けられたＤＣカプラーであって、小型電子機器への装着方向と直交し、かつ、互いに離反する二方向へ前記ケーブルを案内可能な案内溝を有し、前記ケーブルは、前記ケーブルが前記案内溝に収納された際、前記案内溝の出口付近において前記案内溝を塞ぐ溝閉塞部材を備えていることを特徴とするＤＣカプラー。
【請求項６】
前記溝閉塞部材は、前記案内溝の出口付近において、前記ケーブルの断線を防止するケーブル断線防止部を備えていることを特徴とする請求項５に記載のＤＣカプラー。
【請求項７】
前記溝閉塞部材は、前記案内溝出口付近に設けた係止部によって、係止されることを特徴とする請求項６に記載のＤＣカプラー。
【発明の詳細な説明】
【技術分野】
【０００１】
本発明は、デジタルカメラ等の小型電子機器に取り付けて使用するＤＣカプラーに関し、特に家庭用商用電源に接続するＡＣアダプターの有するＤＣプラグを差し込むための中継ジャックを備えたＤＣカプラーに関する。
【背景技術】
【０００２】
従来からデジタルカメラ等の小型電子機器の多くは、携帯性を重視し、リチウムイオン等の二次電池から電力を得て動作するように構成されている。
【０００３】
一方、デジタルカメラ等の電源アクセサリーとして、所謂ＤＣカプラーが知られている。これは、上記二次電池の形状と略同一形状に構成されたＤＣカプラーを電池室内に装着し、小型電子機器の動作に必要な電力を商用電源から得るというものである。
【０００４】
特許文献１に記載されているＤＣカプラーは、ＤＣカプラー本体に回動可能に取り付けられたケーブル保持部を有し、小型電子機器側のＤＣカプラー用ケーブル通し部に合わせて、前記ケーブル保持部を回動できるというものである。
【先行技術文献】
【特許文献】
【０００５】
【特許文献１】特開２００５−６４６７４号公報
【発明の概要】
【発明が解決しようとする課題】
【０００６】
上記の特許文献１は、小型電子機器側のＤＣカプラー用ケーブル通し部に合わせて、ケーブルの引き出し方向を変更できるので、小型電子機器側のＤＣカプラー用ケーブル通し部に制約を与えないという大きな効果がある。なお、本発明では、上記の特許文献１でアダプターと表記されている構成要素をＤＣカプラーと言い換えている。
【０００７】
しかしながら、前記回動可能なケーブル保持部を前記ＤＣカプラー本体に設けるためには、前記ＤＣカプラー本体にある程度の厚みが必要であり、所謂スリムタイプの小型電子機器に対応したＤＣカプラーには適用できないという問題があった。また、ケーブル断線防止部材を備えていないため、小型電子機器のＤＣカプラー用ケーブル通し部で発生するケーブルの折り曲げによる芯線の断線を防止できないという問題があった。
【０００８】
さらに、小型電子機器の有する電池室入口に設けられている電池脱落防止部材（以下、バッテリーロックという。）との引っ掛かり（干渉）回避に関する記載がなく、バッテリーロックは前記ケーブル保持部の反対側に設けなければならないという制約を与えていた。
【０００９】
そこで、本発明の第一の目的は、所謂スリムタイプの小型電子機器に対応したケーブル引き出し方向を変更可能なＤＣカプラーを提供することである。第二の目的は、上記ＤＣカプラーにおいて、小型電子機器のＤＣカプラー用ケーブル通し部でケーブルの折り曲げが発生しても芯線の断線が発生しにくいＤＣカプラーを提供することである。さらに、第三の目的は、上記ＤＣカプラーにおいて、小型電子機器の有する電池室入口に設けられているバッテリーロックの配置に制約を与えることがなく、加えて、着脱する際の操作性を向上させたＤＣカプラーを提供することにある。
【課題を解決するための手段】
【００１０】
上記目的を達成するために、本発明のＤＣカプラーは、電力入力用ケーブルが一体的に設けられたＤＣカプラーであって、小型電子機器への装着方向と直交し、かつ、互いに離反する二方向へ前記ケーブルを案内可能な案内溝を有し、前記ケーブルは、前記ＤＣカプラーから独立したケーブル断線防止部材を備えていることを特徴とする。
【００１１】
また、前記案内溝は、前記ケーブルを二段階で折り曲げ、前記小型電子機器への装着方向と直交し、かつ、互いに離反する二方向へ案内する案内壁を有することを特徴とする。
【００１２】
さらに、前記ケーブル断線防止部材は、前記ケーブルに一体的に固定されていることを特徴とする。
【００１３】
さらに、前記ケーブル断線防止部材は、前記ケーブルに沿って移動可能であり、小型電子機器側ＤＣカプラー用ケーブル通し部に設けた凸形状、又は凹形状のケーブル固定部に対応した形状を有するケーブル固定部を有していることを特徴とする。
【００１４】
電力入力用ケーブルが一体的に設けられたＤＣカプラーであって、
小型電子機器への装着方向と直交し、かつ、互いに離反する二方向へ前記ケーブルを案内可能な案内溝を有し、
前記ケーブルは、前記ケーブルが前記案内溝に収納された際、前記案内溝の出口付近において前記案内溝を塞ぐ溝閉塞部材を備えていることを特徴とする。
【００１５】
また、前記溝閉塞部材は、前記案内溝の出口付近において、前記ケーブルの断線を防止するケーブル断線防止部を備えていることを特徴とする。
【００１６】
さらに、前記溝閉塞部材は、前記案内溝出口付近に設けた係止部によって、係止されることを特徴とする。
【発明の効果】
【００１７】
本発明のＤＣカプラーによれば、小型電子機器側のＤＣカプラー用ケーブル通し部に合わせて、ケーブル引き出し方向を変更可能で、かつ、小型電子機器のＤＣカプラー用ケーブル通し部でケーブルの折り曲げが発生しても芯線の断線が発生しにくいＤＣカプラーを得ることできる。さらに、小型電子機器の有する電池室入口に設けられているバッテリーロックの配置に制約を与えることがなく、加えて、着脱する際の操作性を向上させたＤＣカプラーを得ることできる。
【図面の簡単な説明】
【００１８】
【図１】本発明の第1の実施例におけるＤＣカプラーの上方背面方向から見た時の斜視図
【図２】本発明の第1の実施例におけるＤＣカプラーの上方背面方向から見た時の分解斜視図
【図３】本発明の第1の実施例におけるＤＣカプラーの下方背面方向から見た時の斜視図
【図４】本発明の第１の実施例におけるＤＣカプラーの下方背面方向から見た時の分解斜視図
【図５】本発明の第１の実施例によるＤＣカプラー背面方向から見た時の背面図
【図６】本発明の第１の実施例によるＤＣカプラーを用いた小型電子機器への電力供給方法を説明する図
【図７】本発明の第１の実施例によるＤＣカプラーを用いた小型電子機器への電力供給方法を説明する図
【図８】本発明の第２の実施例におけるＤＣカプラーの上方背面方向から見た時の斜視図
【図９】本発明の第２の実施例におけるケーブル引き出し位置での断面図
【図１０】本発明の第３の実施例におけるＤＣカプラーの上方背面方向から見た時の分解斜視図
【図１１】本発明の第３の実施例におけるＤＣカプラーとバッテリーロックの位置関係を説明する図
【図１２】本発明の第３の実施例におけるＤＣカプラーとバッテリーロックの位置関係を説明する断面図
【図１３】本発明の第３の実施例におけるＤＣカプラーとバッテリーロックの位置関係を説明する図
【図１４】本発明の第３の実施例におけるＤＣカプラーとバッテリーロックの位置関係を説明する断面図
【図１５】本発明の第３の実施例におけるＤＣカプラーとバッテリーロックの位置関係を説明する図
【図１６】本発明の第３の実施例におけるＤＣカプラーとバッテリーロックの位置関係を説明する断面図
【図１７】背景技術を説明する図
【発明を実施するための形態】
【００１９】
以下、本発明の実施の形態を以下の実施例に基づき、図面を参照しながら説明する。
［実施例１］
以下、本発明の第１の実施例におけるＤＣカプラーについて説明する。先ず、図１乃至図５を参照しながら、本発明の第１の実施例によるＤＣカプラーの構成について説明する。図１は上方背面方向から見た時の斜視図を、図２は上方背面方向から見た時の分解斜視図を、図３は下方背面方向から見た時の斜視図を、図４は下方背面方向から見た時の分解斜視図を、図５は背面方向から見た時の背面図をそれぞれ示す。
【００２０】
図１において、１００は本発明の第1の実施例におけるＤＣカプラーであって、その構成は大きく分けて、ＤＣカプラー本体部とケーブル部とからなる。ＤＣカプラー本体部は、上ケース１１０、下ケース１２０、及び不図示の基板１３０とからなる。一方、ケーブル部は、ケーブル１４１、直流電力入力用中継ジャック１４２、及びケーブル断線防止部材１４３とからなる。
【００２１】
次に、それぞれの部位について、説明する。先ず初めに、図２及び図４を用いて、ＤＣカプラー本体部について説明する。図２において、上ケース１１０は、略コの字形状をしており、上下に設けた短辺部の下側短辺部はＤＣカプラー本体部の下面１０４を形成し、上側短辺部はＤＣカプラー本体部の上面１０５を形成し、また、長辺部はＤＣカプラー本体部の正面１０１を形成している。下面１０４内側の中央には、後述する下ケース１２０の短辺部へ向かって突出する山形状部１１１が設けられており、その中心部は、樹脂成型時のヒケ防止のため、肉抜きが設けられている。
【００２２】
山形状部１１１は、後述するケーブル１４１の引き出し方向を変更する際の分岐点として機能するとともに、一対の斜面１１１ａ、１１１ｂを有し、下面１０４内側の左右両端に設けられた一対の平面部１１３、１１４に向かって、それぞれ滑らかに繋がっている。また、一対の斜面１１１ａ、１１１ｂと一対の平面部１１３、１１４は後述するケーブル引き出し用溝部１１２の案内壁として機能する。
【００２３】
一対の平面部１１３、１１４には、それぞれ突起１１３ａ、１１４ａが設けられており、後述する下ケース１２０の平面部１２３、１２４に設けられた突起１２３ａ、１２４ａと互いに作用し合うことで、ケーブル１４１の収納時における抜け止めとして機能する。また、突起１１３ａ、１１４ａは、ケーブル１４１の被覆破損防止のため、ケーブル１４１の係止箇所が同一にならないように、左右で非対称の位置に設けられている。
【００２４】
尚、本実施例では、平面部１１３、１１４は下面１０４と平行としたが、後述する下ケース１２０の平面部１２３、１２４とそれぞれ対となって互いに平行ならば、下面１０４内側の左右両端外側に向かってそれぞれ所定の勾配を持たせることも可能である。上面１０５には、端子窓１１５、１１６、１１７が形成されており、端子窓１１５、１１７には基板１３０に半田付けされた端子１３５、１３７が挿入されることにより、直流電力出力端子として機能する。尚、端子窓１１６には端子は挿入されず、後述する小型電子機器１０の電源用端子と当接しないように深く掘り下げられている。
【００２５】
また、上面１０５の両端外側には、誤挿入防止用凹部が形成されている。一方、図４において、下ケース１２０は、短辺部の上側が開放した略箱型形状をしている。下側短辺部は、前記上ケース１１０の下面１０４内側と所定の間隔を隔てて設けられており、上ケース１１０と下ケース１２０が一体化されることにより、ケーブル１４１を収納する溝部を形成する。また、下側短辺部の中央には、谷形状部１２１が形成されており、さらにその中心には基板１３０に接続された前記ケーブル１４１が挿通するケーブル引き出し用切り欠き部１２２が設けられている。
【００２６】
谷形状部１２１は、一対の斜面１２１ａ、１２１ｂを有し、短辺部の左右両端に設けられた一対の平面部１２３、１２４に向かってそれぞれ滑らかに繋がっている。また、一対の斜面１２１ａ、１２１ｂと一対の平面部１２３、１２４は後述するケーブル引き出し用溝部１１２の案内壁として機能する。前記一対の平面部１２３、１２４には、それぞれ突起１２３ａ、１２４ａが設けられており、前述した上ケース１１０の突起１１３ａ、１１４ａと互いに作用し合うことで、ケーブル１４１の抜け止めとして機能する。
【００２７】
また、突起１２３ａ、１２４ａは、ケーブル１４１の被覆破損防止のため、引き出し方向を変更した際にケーブル１４１の係止箇所が同一にならないように、左右で非対称の位置に設けられている。尚、本実施例では、平面部１２３、１２４は平面部１１３、１１４とそれぞれ対となって互いに平行ならば、左右両端外側に向かってそれぞれ所定の勾配を持たせることも可能である。
【００２８】
一方、下ケース１２０の長辺部は、ＤＣカプラー本体部の背面１０２と左右一対の長側面１０６ａ、１０６ｂを形成している。上ケース１１０と下ケース１２０は、超音波溶着、または接着剤等の化学薬品を用いた接着若しくは溶着、さらにはビス止めやスナップフィット機構等によって一体化される。上ケース１１０と下ケース１２０が一体化されることにより、山形状部１１１と谷形状部１２１、平面部１１３と平面部１２３、そして平面部１１４と平面部１２４がそれぞれ対となり、ケーブル１４１の案内壁となるケーブル引き出し用溝部１１２を形成する。
【００２９】
従って、ケーブル引き出し用溝部１１２は、ＤＣカプラー本体部の一対の長側面１０６ａ、１０６ｂに向かって互いに離反する二方向へケーブル１４１を案内することができる。これにより、ケーブル１４１は、ケーブル引き出し用切り欠き部１２３において直角に折り曲げられるのではなく、少なくとも二段階の折り曲げを経て、ＤＣカプラー本体部の長側面１０６ａ、１０６ｂに向かって引き出されることになる。
【００３０】
基板１３０には、不図示のコンデンサやフェライトビーズなどの電気部品、ニッケルめっきや金めっきを有した燐青銅等の金属材料からなる端子１３５、１３６、１３７、そして後述するケーブル１４１が半田付けされている。また、基板１３０は、上ケース１１０内に所定の位置決め手段を用いて収納される。
【００３１】
次にケーブル部について、説明する。ケーブル１４１は、直流電力入力用のケーブルであり、芯線は、例えば１芯シールド線や多芯シールド線からなり、被覆は、ＰＶＣ（ポリ塩化ビニル）樹脂やＰＯ（ポリオレフィン）樹脂からなる。直流電力入力用中継ジャック１４２は、直流電力入力用のジャックであり、後述する出力用ＤＣプラグ２４４を接続することにより、ＡＣアダプター２００から直流電力の供給を受け取ることができる。
【００３２】
また、直流電力入力用中継ジャック１４２の形状は、所定の規格に適合したものであるか、否かは問わず、出力用ＤＣプラグ２４４と接続でき、直流電力の供給が受けられればどのような形状であっても良い。ケーブル断線防止部材１４３は、ＰＶＣ（ポリ塩化ビニル）樹脂やＰＯ（ポリオレフィン）樹脂などの可撓性に優れた樹脂からなり、第一の実施例ではケーブル１４１に一体的に固定されている。また、可撓性を向上させるため、外周部に複数の凹部を設けている。
【００３３】
さらに、ケーブル断線防止部材１４３は、ＤＣカプラー本体部には固定せず、ＤＣカプラー本体部から僅かに離れた位置に設けている。すなわち、ケーブル断線防止部材１４３をＤＣカプラー本体部に固定していないので、ケーブル１４１を一方のケーブル引き出し用溝部１１２から外し、もう一方のケーブル引き出し用溝部１１２へ装着できるようになっている。
【００３４】
次に、図６乃至図７を参照しながら、本発明の第１の実施例によるＤＣカプラー１００を用いた小型電子機器１０への電力供給方法について説明する。図６に電力供給時の構成図を示す。
【００３５】
図６において、１０は小型電子機器の一例としてのコンパクトデジタルカメラ、１００は本発明によるＤＣカプラー、２００は家庭用商用電力を直流電力に変換するＡＣアダプターである。先ず、ＡＣアダプター２００の構成を簡単に説明する。２１０はＡＣアダプター本体、２４１は出力用ＤＣケーブル、２５２はＡＣインレット、２４３は出力用ＤＣケーブル断線防止部材、２４４は出力用ＤＣプラグである。また、２５１はＡＣケーブル、２５４はＡＣプラグ、２５７はＡＣ電源プラグである。
【００３６】
ＡＣアダプター２００の接続方法は、ＡＣケーブル２５１の一方の端にあるＡＣプラグ２５４をＡＣインレット２５２に差し込み、他方にあるＡＣ電源プラグ２５７を交流電源差し込み口（コンセント）に差し込む。
【００３７】
次に、家庭用商用電力を使用して小型電子機器１０を動作させる操作手順について説明する。
［手順１］小型電子機器１０の底面に設けられた不図示の電池室１３の蓋１２と側面に設けられたＤＣカプラー用ケーブル通し部１４の蓋１５（不図示）を開ける。
［手順２］電池室１３の内部にある電源用端子とＤＣカプラー１００の出力端子１３５、１３７の極性が一致するように、ＤＣカプラー１００の向きを調整する。
［手順３］ケーブル１４１の引き出し方向を小型電子機器１０に設けられたＤＣカプラー用ケーブル通し部１４の向きに揃える。
［手順４］ＤＣカプラー１００を図６の装着方向を示す矢印の方向から電池室１３へ挿入する。
［手順５］ケーブル断線防止部材１４３をＤＣカプラー用ケーブル通し部１４に押し込む。
［手順６］電池室１３の蓋１２を閉じる。
［手順７］ケーブル１４１の直流電力供給用中継ジャック１４２に、出力用ＤＣプラグ２４４を差し込む。
［手順８］ＡＣプラグ２５４をＡＣインレット２５２に差し込み、電源プラグ２５７を交流電源差し込み口（コンセント）に差し込む。
［手順９］小型電子機器１０の電源を入れる。
【００３８】
上記操作手順により、家庭用商用電力を使用して小型電子機器１０を動作させることができる。
【００３９】
以上説明したように、第１の実施例によれば、第一に、ＤＣカプラー１００に設けたケーブル引き出し用溝部１１２にケーブル１４１を収納する際、少なくとも二段階の折り曲げを経由して引き出すようにした。
【００４０】
第二に、ケーブル断線防止部材１４３を小型電子機器１０のＤＣカプラー用ケーブル通し部１４を横断するようにＤＣカプラー１００の本体部から僅かに離れた位置に、ケーブル１４１に一体的に固定した。これにより、小型電子機器１０のＤＣカプラー用ケーブル通し部１４に合わせてケーブル１４１の引き出し方向を変更できるとともに、電力供給時にＤＣカプラー用ケーブル通し部１４での断線が発生しにくいＤＣカプラーを得ることができる。
【００４１】
［実施例２］
以下、図８乃至図９を参照しながら、本発明の第２の実施例によるＤＣカプラー８００の構成について説明する。尚、第１の実施例と同じ構成要素については、同じ符号を付し、その説明は省略する。
【００４２】
図８において、１８３はケーブル断線防止部材、１８３ｂはケーブル係止用凸部である。また、図９において、１４ｂはＤＣカプラー用ケーブル通し部１４に設けたケーブル係止用凹部である。第２の実施例では、ケーブル断線防止部材１８３をケーブル１４１に沿って移動可能とし、さらにケーブル断線防止部材１８３の外周部にケーブル係止用凸部１８３ｂを設けている。
【００４３】
小型電子機器１０のＤＣカプラー用ケーブル通し部１４には、ケーブル断線防止部材１８３に設けた前記ケーブル係止用凸部１８３ｂに対応した位置にケーブル係止用凹部１４ｂを設けている。
【００４４】
次に、第１の実施例と同様に、家庭用商用電力を使用した動作手順について説明する。尚、同一の手順については、同じ符号を付す。
［手順１］小型電子機器１０の底面に設けられた不図示の電池室１３の蓋１２と側面に設けられたＤＣカプラー用ケーブル通し部１４の蓋１５（不図示）を開ける。
［手順２］電池室１３の内部にある電源用端子とＤＣカプラー１００の出力端子１３５、１３６、１３７の極性が一致するように、ＤＣカプラー１００の向きを調整する。
［手順３］ケーブル１４１の引き出し方向を小型電子機器１０に設けられたＤＣカプラー用ケーブル通し部１４の向きに揃える。
［手順４］ＤＣカプラー１００を図４中矢印の方向から電池室１３へ挿入する。
【００４５】
［手順５´］ケーブル断線防止部材１８３を小型電子機器１０のＤＣカプラー用ケーブル通し部１４に対応する位置まで移動し、ケーブル係止用凸部１８３ｂをケーブル係止用凹部１４ｂに勘合させる。
［手順６］電池室１３の蓋１２を閉じる。
［手順７］ケーブル１４１の直流電力供給用中継ジャック１４２に、出力用ＤＣプラグ２４４を差し込む。
［手順８］ＡＣプラグ２５４をＡＣインレット２５２に差し込み、電源プラグ２５７を交流電源差し込み口（コンセント）に差し込む。
［手順９］小型電子機器１０の電源を入れる。
【００４６】
以上説明したように、第２の実施例によれば、小型電子機器１０に設けたＤＣカプラー用ケーブル通し部１４の位置に応じて、ケーブル断線防止部材１８３をケーブル１４１に沿って移動可能とし、ケーブル係止用凸部１８３をケーブル係止用凹部１４ｂに勘合させるようにした。
【００４７】
これにより、電力供給時にＤＣカプラー用ケーブル通し部１４での断線が発生しにくいＤＣカプラーを得ることができる。
【００４８】
［実施例３］
以下、図１０乃至図１６を参照しながら、本発明の第３の実施例によるＤＣカプラー９００の構成について説明する。尚、第１及び第２の実施例と同じ構成要素については、同じ符号を付し、その説明は省略する。
【００４９】
図１０において、１９３は本発明の第３の実施例における溝閉塞部材であって、その構成は、ケーブル断線防止部１９３ａ、溝閉塞部１９３ｃとからなる。溝閉塞部材１９３は、ケーブル１４１に沿って移動可能であり、直流電力入力用中継ジャック１４２側にケーブル断線防止部１９３ａを有し、基板１３０側に溝閉塞部１９３ｃを有している。また、ケーブル断線防止部１９３ａの外周部には、可撓性を向上させるため、複数の凹部を設けている。さらに、溝閉塞部１９３ｃの外周部には、係止用凹部１９３ｄ、１９３ｅ、１９３ｆ、１９３ｇを設けている。
【００５０】
一方、上ケース１１０には、係止用凹部１９３ｄ、１９３ｇと勘合する係止用凸部１１３ｄ、１１４ｇを設け、下ケース１２０には、係止用凹部１９３ｅ、１９３ｆと勘合する係止用凸部１２３ｆ、１２４ｅを設けている。これらが勘合することにより、溝閉塞部１９３ｃをＤＣカプラー本体９００に固定することができる。尚、係止用凹部１９３ｄ、１９３ｅ、１９３ｆ、１９３ｇと係止用凸部１１３ｄ、１１４ｇ、１２３ｆ、１２４ｅの凸凹関係は、逆であっても構わない。
【００５１】
次に、図１１乃至図１６を用いて、小型電子機器１０の電池室入口に設けられているバッテリーロック３１との関係について説明する。尚、説明をわかりやすくするために、電池室は不図示とした。先ず、バッテリーロック３１の周辺部品は、バッテリーロック３１を回動自在に支持する回転軸３３と、バッテリーロック３１をＤＣカプラー９００に向かって付勢するばね部材３２からなる。
【００５２】
図１１乃至図１２は、ＤＣカプラー９００を小型電子機器１０の電池室に半分ほど挿入した状態を表す。図からわかるように、バッテリーロック３１はＤＣカプラー９００の長手稜線近傍に当接し、ＤＣカプラー９００を着脱方向に移動させることにより上記長手稜線近傍を摺動することになる。
【００５３】
図１１乃至図１２の状態から、さらにＤＣカプラー９００を小型電子機器１０の電池室内に挿入すると、図１３乃至図１４にあるように、バッテリーロック３１は下ケース１２０と溝閉塞部材１９３の境界に移動する。図からわかるように、バッテリーロック３１は、ケーブル引き出し用溝部１１２に落ち込むことなく、溝閉塞部１９３ｃに乗り上げる。
【００５４】
図１３乃至図１４の状態から、さらにＤＣカプラー９００を小型電子機器１０の電池室内に挿入すると、図１５乃至図１６にあるように、バッテリーロック３１は上ケース１１０の上側短辺部１０５を係止するように乗り上げる。つまり、ＤＣカプラー９００が小型電子機器１０の電池室からの脱落が防止できる。
【００５５】
次に、第１の実施例と同様に、家庭用商用電力を使用した動作手順について説明する。尚、同一の手順については、同じ符号を付す。
［手順１］小型電子機器１０の底面に設けられた不図示の電池室１３の蓋１２と側面に設けられたＤＣカプラー用ケーブル通し部１４の蓋１５（不図示）を開ける。
［手順２］電池室１３の内部にある電源用端子とＤＣカプラー９００の出力端子１３５、１３６、１３７の極性が一致するように、ＤＣカプラー９００の向きを調整する。
［手順３］ケーブル１４１の引き出し方向を小型電子機器１０に設けられたＤＣカプラー用ケーブル通し部１４の向きに揃える。
［手順４］ＤＣカプラー９００を図４中矢印の方向から電池室１３へ挿入する。
［手順５´´］溝閉塞部材１９３を小型電子機器１０のＤＣカプラー用ケーブル通し部１４に対応する位置まで移動し、係止用凹部１９３ｄ、１９３ｅ、１９３ｆ、１９３ｇを係止用凸部１１３ｄ、１１４ｇ、１２３ｆ、１２４ｅにそれぞれ勘合させる。
［手順６］電池室１３の蓋１２を閉じる。
［手順７］ケーブル１４１の直流電力供給用中継ジャック１４２に、出力用ＤＣプラグ２４４を差し込む。
［手順８］ＡＣプラグ２５４をＡＣインレット２５２に差し込み、電源プラグ２５７を交流電源差し込み口（コンセント）に差し込む。
［手順９］小型電子機器１０の電源を入れる。
【００５６】
以上説明したように、第３の実施例によれば、小型電子機器１０に設けたＤＣカプラー用ケーブル通し部１４の位置に応じて、溝閉塞部材１９３をケーブル１４１に沿って移動可能とし、係止用凹部１９３ｄ、１９３ｅ、１９３ｆ、１９３ｇを係止用凸部１１３ｄ、１１４ｇ、１２３ｆ、１２４ｅにそれぞれ勘合させるようにした。これにより、電力供給時にＤＣカプラー用ケーブル通し部１４での断線が発生しにくいＤＣカプラーを得ることができ、さらに、バッテリーロックの配置に制約を与えることがなく、加えて、着脱する際の操作性を向上させたＤＣカプラーを得ることができる。
【００５７】
以上、本発明の好ましい実施形態について説明したが、本発明はこれらの実施形態に限定されず、その要旨の範囲内で種々の変形及び変更が可能である。
【符号の説明】
【００５８】
１０  小型電子機器、１２  電池蓋、１３  電池室、
１４  ＤＣカプラー用ケーブル通し部、１４ｂ  ケーブル係止用凹部、
１００，８００，９００  ＤＣカプラー、１０１  ＤＣカプラー本体部の正面、
１０２  ＤＣカプラー本体部の背面、１０４  ＤＣカプラー本体部の下面、
１０５  ＤＣカプラー本体部の上面、
１０６ａ，１０６ｂ  ＤＣカプラー本体部の左右一対の長側面、１１０  上ケース、
１１１  山形状部、１１１ａ，１１１ｂ  一対の斜面、
１１２  ケーブル引き出し用溝部、１１３，１１４  一対の平面部、
１１３ａ，１１４ａ  突起、１１３ｄ，１１４ｇ  係止用凸部、
１１５，１１６，１１７  端子窓、１２０  下ケース、１２１  谷形状部、
１２１ａ，１２１ｂ  一対の斜面、１２２  ケーブル引き出し用切り欠き部、
１２３，１２４  平面部、１２３ａ，１２４ａ  突起、
１２４  ケーブル引き出し用切り欠き部、１２３ｆ，１２４ｅ  係止用凸部、
１２５，１２６，１２７  端子窓、１３０  基板、１３５，１３７  端子、
１４１  ケーブル、１４２  直流電力供給用中継ジャック、
１４３，１８３  ケーブル断線防止部材、１８３ｂ  ケーブル係止用凸部、
１９３  溝閉塞部材、１９３ｃ  溝閉塞部、
１９３ｄ，１９３ｅ，１９３ｆ，１９３ｇ  係止用凹部、
２００  ＡＣアダプター、２４０  ＡＣアダプター本体、２４１  ＤＣケーブル、
２４２  ＡＣインレット、２４３  ＤＣケーブル断線防止部材、
２４４  ＤＣプラグ、２５１  ＡＣケーブル、２５４  ＡＣプラグ、２５７  電源プラグ
【図２】
2016081578.tif 000003
【図３】
2016081578.tif 000004
【図４】
2016081578.tif 000005
【図５】
2016081578.tif 000006
【図１１】
2016081578.tif 000007
【図１２】
2016081578.tif 000008
【図１３】
2016081578.tif 000009
【図１４】
2016081578.tif 000010
【図１５】
2016081578.tif 000011
【図１６】
2016081578.tif 000012
【図１】
2016081578.tif 000013
【図６】
2016081578.tif 000014
【図７】
2016081578.tif 000015
【図８】
2016081578.tif 000016
【図９】
2016081578.tif 000017
【図１０】
2016081578.tif 000018
【図１７】
2016081578.tif 000019